(57)【特許請求の範囲】
【請求項１】
有料道路における入口ゲート及び出口ゲートにおいて、この各ゲートをノンストップで通過する車両に搭載された車載器が記憶する車両特定情報及びクレジットカード番号を非接触で読取り、該当車両の通行料金を算出し、後日クレジット会社を介して該当車両の利用者に前記通行料金を請求するＥＴＣシステムにおいて、
前記有料道路におけるＩＣ相互間の通行料金をインターネットを介して公開する料金Ｗｅｂサイトと、前記車両に搭載されたナビゲーション装置とを備え、
前記ナビゲーション装置は、
自己車両の前記有料道路の利用状況を記憶保持するための利用状況テーブルと、
自己車両の現在位置を検出して表示器に表示するナビゲーション手段と、
前記車両特定情報及びクレジットカード番号が非接触で読取られたタイミングで、自己車両が進入した入口ゲート又は自己車両が退出した出口ゲートが所属する各ＩＣを前記ナビゲーション手段で得られる現在位置を用いて検出するＩＣ検出手段と、
このＩＣ検出手段で検出された進入ＩＣ又は退出ＩＣを前記利用状況テーブルに書込むＩＣ書込手段と、
前記利用状況テーブルに進入ＩＣと退出ＩＣとが書込まれたタイミングで、前記進入ＩＣから退出ＩＣまでの通行料金をインターネットを介して前記料金Ｗｅｂサイトから検索する料金検索手段と、
この料金検索手段で検索した通行料金を前記利用状況テーブルに書込む通行料金書込手段と、
前記利用状況テーブルに記憶された進入ＩＣ、退出ＩＣ及び通行料金の自己車両の利用状況を表示する利用状況表示手段と
を有することを特徴とするＥＴＣシステム。
【発明の詳細な説明】
【０００１】
【発明の属する技術分野】
本発明は、有料道路の利用者が、有料道路の料金所のゲートを通過するだけで通行料金の支払ができるＥＴＣシステム（自動料金収受システム）に係わり、特に、利用者が後日自己が支払う通行料金を簡単に検索できる機能を付加したＥＴＣシステムに関する。
【０００２】
【従来の技術】
近年、有料道路における料金所での渋滞を解消する目的で、車両が料金所のゲートを通過するだけで通行料金の支払ができるＥＴＣシステムが提唱されている。このＥＴＣシステムの概要を図１１、図１２を用いて説明する。
【０００３】
有料道路１の各ＩＣ（インターチェンジ）２ａ、２ｂにはゲート４が設けられており、この各ゲート４には、このＩＣ２ａ、２ｂを通過して有料道路１に進入したり、退出する各車両３に搭載された車載器６に記憶された車両特定情報としての車両番号やクレジットカード番号を非接触で読取る送受信器５が取付られている。
【０００４】
具体的には、各車両３に取付けられた各車載器６には、利用者が所持するクレジットカード７を挿入するカード挿入口が設けられており、利用者は車両３に乗車する時点でクレジットカード７をカード挿入口へ挿入する。すると、車載器６はクレジットカード７に記憶されているクレジットカード番号を読取って記憶保持する。クレジットカード７を引抜くと記憶保持されたクレジットカード番号がクリアされる。車両番号は車載器６に常時記憶保持されている。
【０００５】
送受信器５は各車両３の車載器６から読取った車両番号及びクレジットカード番号をそれぞれ料金所装置８へ転送する。料金所装置８は、入力された車両番号及びクレジットカード番号を図１２（ａ）に示す伝送フレーム９に組込んで道路会社のホスト装置１０へ送信する。この伝送フレーム９には、ＩＣコード（ＩＣ名）、車両番号、クレジットカード番号、日時（日付及び時刻）、進入か退出かを示す入／出フラグ等が組込まれている。
【０００６】
各料金所装置８から伝送フレーム９を受信した道路会社のホスト装置１０は、内部に各ＩＣ相互間の通行料金を記憶した通行料金テーブルと、図１２（ｂ）に示す利用実績ファイル１１が形成されている。この利用実績ファイル１１内には、この有料道路１を利用した各車両毎に、車両番号、進入ＩＣ、退出ＩＣ、通行料金、日付時刻、クレジットカード番号を書込むための複数の領域が形成されている。
【０００７】
道路会社のホスト装置１０は、各料金所装置８から伝送フレーム９を受信すると、伝送フレーム９の入／出フラグが進入の場合は、この伝送フレーム９の各情報を利用実績ファイル１１の新規領域に書込む。伝送フレーム９の入／出フラグが退出の場合は、利用実績ファイル１１内の伝送フレーム９の車両番号と同一車両番号が書込まれた領域を検索して、この領域の退出ＩＣの欄に伝送フレーム９に含まれるＩＣコード（ＩＣ名）を書込む。そして、該当領域の進入ＩＣと退出ＩＣとの間の通行料金を通行料金テーブルから読取って、該当領域の通行料金の欄に書込む。
【０００８】
このように、道路会社のホスト装置１０内に形成された利用実績ファイル１１の各領域に各車両毎の利用情報が順番に書き込まれていく。
【０００９】
そして、道路会社のホスト装置１０は、毎日又は一定期間毎に、利用実績ファイル１１に記憶された各車両毎の利用情報を、クレジットカード番号毎の利用情報に編集してクレジットカード会社１２へ送信する。クレジットカード会社１２は受領したクレジットカード番号毎の利用情報を、該当クレジットカード番号に対応する顧客毎の利用情報に直して、図１２（ｃ）に示す顧客ファイル１３へ累積登録する。
【００１０】
クレジットカード会社１２は、原則として、月に１度、顧客に対してクレジットカードの利用明細を送付し、指定された日に顧客の金融機関の口座から利用代金を引落とす。
【００１１】
【発明が解決しようとする課題】
しかしながら、図１１、図１２に示すＥＴＣシステムにおいても未だ解消すべき次のような課題があった。
【００１２】
すなわち、各車両３は、有料道路１の各ＩＣ２ａ、２ｂにおける料金所のゲート４をノンストップで通過するので、レシート（受領書）を受取ることはない。また、このＥＴＣシステムを採用するに際して、利用者側の経済的負担を軽減するために、車載器６は、自己の車両番号とクレジットカード番号をＩＣ２ａ，２ｂ側の送受信器５へ送出しているのみである。したがって、この車載器６が通行料金をＩＣ２ａ，２ｂ側から受信することはない。
【００１３】
その結果、有料道理１の各利用者は、クレジットカード会社１２から１月に１度送付されて来るクレジットカードの利用明細を見るまで、個々の通行料金（利用代金）を確認できない。一般に、クレジットカードで商品を購入したりサービスの提供を受けた場合、その時点でカードの利用代金を確認できるので、このＥＴＣシステムにおいては、後日どの程度の金額が請求されるのか不安に感じる利用者も多数いると推定できる。
【００１４】
また、現在時点で、クレジットカードによる通行料金の請求金額がどの程度に達しているかの情報を各利用者へ提供可能にすることは、各利用者に対するサービスを向上する上で大切なことである。
【００１５】
本発明はこのような事情に鑑みてなされたものであり、各種の通信網を用いることによって、現在時点における利用済みの各通行料金の一覧を確認することができ、有料道路の利用者に対するサービスを向上できるＥＴＣシステムを提供することを目的とする。
【００１６】
【課題を解決するための手段】
本発明は、有料道路における入口ゲート及び出口ゲートにおいて、この各ゲートをノンストップで通過する車両に搭載された車載器が記憶する車両特定情報及びクレジットカード番号を非接触で読取り、該当車両の通行料金を算出し、後日クレジット会社を介して該当車両の利用者に通行料金を請求するＥＴＣシステムに適用される。
【００１７】
そして、上記課題を解消するために、本発明のＥＴＣシステムにおいては、有料道路におけるＩＣ相互間の通行料金をインターネットを介して公開する料金Ｗｅｂサイトと、車両に搭載されたナビゲーション装置とを備えている。
そして、ナビゲーション装置を、自己車両の有料道路の利用状況を記憶保持するための利用状況テーブルと、自己車両の現在位置を検出して表示器に表示するナビゲーション手段と、車両特定情報及びクレジットカード番号が非接触で読取られたタイミングで、自己車両が進入した入口ゲート又は自己車両が退出した出口ゲートが所属する各ＩＣをナビゲーション手段で得られる現在位置を用いて検出するＩＣ検出手段と、このＩＣ検出手段で検出された進入ＩＣ又は退出ＩＣを利用状況テーブルに書込むＩＣ書込手段と、利用状況テーブルに進入ＩＣと退出ＩＣとが書込まれたタイミングで、進入ＩＣから退出ＩＣまでの通行料金をインターネットを介して料金Ｗｅｂサイトから検索する料金検索手段と、この料金検索手段で検索した通行料金を利用状況テーブルに書込む通行料金書込手段と、利用状況テーブルに記憶された進入ＩＣ、退出ＩＣ及び通行料金の自己車両の利用状況を表示する利用状況表示手段とを有する。
【００２２】
このように構成されたＥＴＣシステムにおいては、車両に搭載されたナビゲーション装置は、自己車両の現在位置を検出して表示器に表示する通常のナビゲーション機能の他に、自己車両が有料道路に進入、退出したＩＣを検出して、料金Ｗｅｂサイトから通行料金を検索して表示器に表示する。
【００２３】
その結果、利用者は有料道路を退出した時点で、自己の車内のナビゲーション装置の表示画面上で今回の通行料金を確認できる。
【００２７】
さらに、車両特定情報及びクレジットカード番号が非接触で読取られたタイミングで各ＩＣを検出しているので、ナビゲーション装置における各ＩＣを検出する処理負担が軽減される。
【００２８】
【発明の実施の形態】
以下、本発明の各実施形態を図面を用いて説明する。
（第１実施形態）
図１は本発明の第１実施形態に係るＥＴＣシステムの概略構成を示すブロック図である。図１１に示す従来のＥＴＣシステムと同一部分には同一符号を付して重複する部分の詳細説明を省略する。
【００２９】
有料道路１の各ＩＣ２ａ、２ｂの各ゲート４には、このＩＣ２ａ、２ｂを通過して有料道路１に進入したり、退出する各車両３に搭載された車載器６に記憶された車両番号やカード挿入口に挿入されたクレジットカード７クレジットカード番号を非接触で読取る送受信器５が取付られている。
【００３０】
送受信器５は各車両３の車載器６から読取った車両特定情報としての車両番号及びクレジットカード番号はそれぞれ料金所装置８へ転送される。料金所装置８は、入力された車両番号及びクレジットカード番号を図１２（ａ）に示す伝送フレーム９に組込んで道路会社のホスト装置１０へ送信する。道路会社のホスト装置１０は、内部に各ＩＣ相互間の通行料金を記憶した通行料金テーブルと、図１２（ｂ）に示す利用実績ファイル１１とが形成されている。道路会社のホスト装置１０は、各料金所装置８から伝送フレーム９を受信する毎に、利用実績ファイル１１の各領域に各車両毎の利用情報を順番に書込んでいく。
【００３１】
そして、道路会社のホスト装置１０は、毎日又は一定期間毎に、利用実績ファイル１１に記憶された各車両毎の利用情報をクレジットカード会社のホスト装置１２ａへ送信する。クレジットカード会社のホスト装置１２ａは受領した利用情報を図１２（ｃ）に示す顧客ファイル１３へ累積登録する。このクレジットカード会社のホスト装置１２ａは、インターネット１４を介して利用者が自由にアクセス可能な利用者Ｗｅｂサイトを有している。
【００３２】
車両３内には、上述した車載器６の他に、利用者端末としてのナビゲーション装置１５、及びこのナビゲーション装置１５が外部のインターネット１４をアクセスするための通信機器としての携帯電話１６が収納されている。ナビゲーション装置１５は、アンテナ１７を介してＧＰＳ衛星１８からのＧＰＳ電波を受信して、自己の現在位置を検出して表示器に表示出力する。
【００３３】
さらに、このナビゲーション装置１５は、利用者のキー操作に基づいて、携帯電話１６を起動して、外部のインターネット１４を介してクレジットカード会社のホスト装置１２ａの利用者Ｗｅｂサイトをアクセスして、顧客ファイル１３に記憶されている自己の通行料金の一覧を検索して、この自己の通行料金を表示器に表示出力する。
【００３４】
そして、クレジットカード会社のホスト装置１２ａは、図２に示す流れ図に従って各種処理を実施する。
例えば、１月のうちの予め定められた規定日に達すると（Ｓ１）、顧客ファイル１３に記憶された各顧客に対する通行料金等の請求金額を該当顧客の金融期間の口座から引落とす（Ｓ２）。また、道路会社のホスト装置１０からカード利用情報が入力すると（Ｓ３）、このカード利用情報を顧客ファイル１３の該当顧客の領域へ書込む（Ｓ４）。
【００３５】
利用者端末としてのナビゲーション装置１５から携帯電話１６及びインターネッ１４を介して利用者Ｗｅｂサイトがアクセスされると（Ｓ５）、クレジットカード番号が入力されるのを待つ（Ｓ６）。クレジットカード番号及び暗証番号が入力されると（Ｓ６，Ｓ７）、入力された暗証番号が正しいことを確認する（Ｓ８）。
【００３６】
暗証番号が正しいことが確認されると、顧客ファイル１３内の該当顧客の通行料金を含むカード利用状況の一覧を読出して（Ｓ９）、アクセス要求元のナビゲーション装置１５へダウンロードする（Ｓ１０）。車両３のナビゲーション装置１５はカード利用状況を受信すると、このダウンロードされたカード利用状況の一覧を表示器に表示出力する。
【００３７】
このように構成された第１実施形態のＥＴＣシステムにおいて、クレジットカード会社のホスト装置１２ａに対して、クレジットカード番号と暗証番号入力等の一定の条件で顧客ファイル１３の内容を利用者に知らせるための利用者Ｗｅｂサイトを設けている。
【００３８】
したがって、有料道路１の利用者は、車内において、任意のタイミングで自己のこれまでの通用料金の一覧をナビゲーション装置１５の表示画面上で確認できる。
【００３９】
なお、利用者はインターネット１４に接続可能な自宅のパーソナルコンピユータや事務所のパーソナルコンピユータを用いて自己の有料道路のカード利用状況の一覧を確認できる。
【００４０】
（第２実施形態）
図３は本発明の第２実施形態に係るＥＴＣシステムの概略構成を示すブロック図である。図１に示す第１実施形態のＥＴＣシステムと同一部分には同一符号を付して重複する部分の詳細説明を省略する。
【００４１】
この第２実施形態のＥＴＣシステムにおいては、内部に各ＩＣ相互間の通行料金を記憶した図４に示す通行料金テーブル１９と、図１２（ｂ）に示す利用実績ファイル１１が形成されている道路会社のホスト装置１０ａは、インターネット１４ａを介して利用者が自由にアクセス可能な料金Ｗｅｂサイトを有している。
【００４２】
車両３内には、車載器６の他に、ナビゲーション装置１５ａ、及びこのナビゲーション装置１５ａが外部のインターネット１４ａをアクセスするための通信機器としての携帯電話１６が収納されている。
【００４３】
車載器６は、各ゲート４の送受信器５で自己の車両番号及びクレジットカード番号が非接触で読取られたタイミングでゲート通過情報をナビゲーション装置１５ａへ送信する機能を有する。
【００４４】
図５はナビゲーション装置１５ａの概略構成を示すブロック図である。
ＧＰＳ受信部２０は、アンテナ１７を介してＧＰＳ衛星１８からのＧＰＳ電波を受信してＧＰＳ信号として位置算出部２１へ送出する。位置算出部２１はＧＰＳ信号から自己の現在位置を算出して表示器２２及び地図メモリ２３へ送出する。表示器２２は地図メモリ２３から読出された地図上に自己の現在位置を表示出力する。表示器２２に表示された現在位置はデータ処理部２４へ送出される。
【００４５】
車載器６から入力されたゲート通過情報はＩＣ通過情報受信部２５で受信されてデータ処理部２４へ送信される。また、通信ＩＦ２６は、携帯電話１６を起動してインターネット１４ａを介して道路会社のホスト装置１０ａの料金Ｗｅｂサイトをアクセスする。
【００４６】
データ処理部２４内には利用状況テーブル２７が形成されている。この利用状況テーブル２７内には、図６に示すように、自己の車両３が有料道路１を利用する毎に、進入ＩＣ、退出ＩＣ、日時、通行料金を書込む欄を有する複数の領域２８が形成されている。
【００４７】
このような構成のナビゲーション装置１５ａのデータ処理部２４は、図７に示す流れ図に基づいて通行料金の算出処理を実行する。
車載器６から自己車両３のＩＣ通過情報が入力すると（Ｑ１）、ナビゲーション機能を用いて、自己車両３が現在時点で位置するＩＣ名、該当ＩＣ２ａ、２ｂに対する進入、退出の区別を表示器２２に表示されている地図から判定する（Ｑ２）。
【００４８】
そして、進入の場合（Ｑ３）、利用者状況テーブル２７の新規領域２８の進入ＩＣの欄に判定したＩＣ名、日時の欄に現在の日時をそれぞれ書き込む（Ｑ４）。また、退出の場合（Ｑ５）、利用状況テーブル２７の既に進入ＩＣが書き込まれている領域２８における空の退出ＩＣの欄に判定したＩＣ名を書込む（Ｑ６）。
【００４９】
次に、携帯電話１６及びインターネット１４ａを介して、道路会社のホスト装置１０ａの料金Ｗｅｂサイトをアクセスする（Ｑ７）。そして、今回利用状況テーブル２７の領域２８に新規書き込んだ、進入ＩＣと退出ＩＣとでを料金Ｗｅｂサイトの通行料金テーブル１９に対する検索要求を行う（Ｑ８）。料金Ｗｅｂサイトから進入ＩＣと退出ＩＣとも間の通行料金が得られると（Ｑ９）、この得られた通行料金を利用状況テーブル２７の該当領域２８における空の通行料金の欄に書き込む（Ｑ１０）。
【００５０】
最後に、利用状況テーブル２７の該当領域２８に書込まれた進入ＩＣ、退出ＩＣ、日時、通行料金を今回の利用状況として表示器２２に表示出力する（Ｑ１１）。
【００５１】
また、Ｑ１２において、利用者（操作者）が、利用状況表示指示操作を実行すると、利用状況テーブル２７の各領域２８に書込まれた利用状況の一覧を表示器２２に表示出力する（Ｑ１３）。
【００５２】
このように構成された第２実施形態のＥＴＣシステムにおいては、道路会社のホスト装置１０ａは、インターネット１４ａを介して利用者が自由にアクセス可能な料金Ｗｅｂサイトを有している。そして、有料道路１を通行する車両３に搭載されたナビゲーション装置１５ａは、自己車両３の現在位置を検出して表示器２２に表示する通常のナビゲーション機能の他に、自己車両３が有料道路１のＩＣ２ａ、２ｂを通過する毎に、通過ＩＣのＩＣ名（ＩＣコード）及び進入か退出かを地図上から検出して、この検出した進入ＩＣ、退出ＩＣ相互間の通行料金を料金Ｗｅｂサイトを検索して得ている。
【００５３】
したがって、利用者は、有料道路１を退出した時点で、自己の車両３内のナビゲーション装置１５ａにおける表示器２２の表示画面上で今回の通行料金を自動的に確認できる。さらに、必要に応じて、利用者は、自己が過去に有料道路１を利用した時の通行料金の一覧をこのナビゲーション装置１５ａの表示画面上に表示出力させることができる。
【００５４】
（第３実施形態）
図８は本発明の第３実施形態に係るＥＴＣシステムの概略構成を示すブロック図である。図３に示す第２実施形態のＥＴＣシステムと同一部分には同一符号を付して重複する部分の詳細説明を省略する。
【００５５】
この第３実施形態のＥＴＣシステムにおいて、道路会社のホスト装置１０は、第２実施形態で示した料金Ｗｅｂサイトを有していない。車両３内には、車載器６の他にナビゲーション装置１５ｂが設けられているが、第２実施形態で示した携帯電話１６は設けられていない。
【００５６】
図９は、車両３内に搭載されたナビゲーション装置１５ｂの概略構成を示すブロック図である。図５に示した第２実施形態のナビゲーション装置１５ａと同一部分には同一符号を付して重複する部分の詳細説明を省略する。
【００５７】
この第３実施形態のナビゲーション装置１５ｂには、携帯電話１６が接続されておらず、代わりに、データ処理部２４ａ内に、図４で示した通行料金テーブル１９と同一構成の通行料金テーブル１９ａが設けられている。
【００５８】
このような構成のナビゲーション装置１５ｂのデータ処理部２４ａは、図１０に示す流れ図に基づいて通行料金の算出処理を実行する。なお、図１０の流れ図のうちＲ１〜Ｒ６までの各処理は、図７におけるＱ１〜Ｑ６の処理と同じであるので説明を省略する。
【００５９】
Ｒ６にて、利用状況テーブル２７の既に進入ＩＣが書込まれている領域２８における空の退出ＩＣの欄に判定したＩＣ名が書込まれると、今回利用状況テーブル２７の領域２８に新規に書込んだ進入ＩＣと退出ＩＣとで通行料金テーブル１９ａに対する検索を行う（Ｒ７）。この通行料金テーブル１９ａから進入ＩＣと退出ＩＣとの間の通行料金が得られると、この得られた通行料金を利用状況テーブル２７の該当領域２８における空の通行料金の欄に書込む（Ｒ８）。
【００６０】
最後に、料金状況テーブル２７の該当領域２８に書込まれた進入ＩＣ、退出ＩＣ、日時、通行料金を今回の利用状況として表示器２２に表示出力する（Ｒ９）。
【００６１】
また、Ｒ１０において、利用者（操作者）が、利用状況表示指示操作を実行すると、利用状況テーブル２７の各領域２８に書込まれた利用状況の一覧を表示器２２に表示出力する（Ｒ１１）。
【００６２】
このように構成された第３実施形態のＥＴＣシステムにおいては、有料道路１を通行する車両３に搭載されたナビゲーション装置１５ｂ内には通行料金テーブル１９ａが設けられている。そして、ナビゲーション装置１５ｂは、自己車両３が有料道路１のＩＣ２ａ、２ｂを通過する毎に、通過ＩＣのＩＣ名（ＩＣコード）及び進入か退出かを地図上から検出して、この検出した進入ＩＣ、退出ＩＣ相互間の通行料金を通行料金テーブル１９ａを検索して得ている。
【００６３】
したがって、利用者は、前述した第２実施形態のＥＴＣシステムと同様に、有料道路１を退出した時点で、自己車両３内のナビゲーション装置１５ｂの表示器２２の表示画面上で今回の通行料金を自動的に確認できる。さらに、必要に応じて、利用者は、自己が過去に有料道路１を利用した時の通行料金の一覧をこのナビゲーション装置１５ｂの表示画面上に表示出力させることができる。
【００６４】
さらに、この第３実施形態のＥＴＣシステムにおいては、ナビゲーション装置１５ｂ内に通行料金テーブル１９ａを設けている。ナビゲーション装置１５ｂの地図メモリ３３はＣＤ―ＲＯＭやＤＶＤ―ＲＯＭ等で形成されており、地図の記載事項が頻繁に変更されるので、このＣＤ―ＲＯＭやＤＶＤ―ＲＯＭも定期的に新しいＣＤ―ＲＯＭやＤＶＤ―ＲＯＭに交換される。したがって、このＣＤ―ＲＯＭやＤＶＤ―ＲＯＭに通行料金テーブル１９ａを書込むことによって、通行料金テーブル１９ａの記憶内容を常時最新値に維持できる。
【００６５】
よって、外部のインターネットをアクセスすることなく、通行料金テーブル１９ａを検索できるので、通行料金を経済的にかつ短時間で検索できる。
【００６６】
【発明の効果】
以上説明したように、本発明のＥＴＣシステムにおいては、インターネットを介して道路会社の料金Ｗｅｂサイトにアクセスしたり、さらにナビゲーション機能を用いて通過ＩＣを特定することによって、現在時点における利用済みの各通行料金の一覧や今回の通行料金を例えば車内で確認することができ、有料道路の利用者に対するサービスを大幅に向上できる。
【図面の簡単な説明】
【図１】本発明の第１実施形態に係るＥＴＣシステムの概略構成を示すブロック図
【図２】同第１実施形態に係るＥＴＣシステムにおけるクレジットカード会社のホスト装置の動作を示す流れ図
【図３】本発明の第２実施形態に係るＥＴＣシステムの概略構成を示すブロック図
【図４】同第２実施形態に係るＥＴＣシステムにおける道路会社のホスト装置内に形成された通行料金テーブルの記憶内容を示す図
【図５】同第２実施形態に係るＥＴＣシステムにおけるナビゲーション装置の概略構成を示すブロック図
【図６】同ナビゲーション装置内に形成さらた利用状況テーブルを示す図
【図７】同ナビゲーション装置の動作を示す流れ図
【図８】本発明の第３実施形態に係るＥＴＣシステムの概略構成を示すブロック図
【図９】同第３実施形態に係るＥＴＣシステムにおけるナビゲーション装置の概略構成を示すブロック図
【図１０】同ナビゲーション装置の動作を示す流れ図
【図１１】従来のＥＴＣシステムの概略構成を示すブロック図
【図１２】同従来のＥＴＣシステムにおける伝送フレーム、利用実績ファイル及び顧客ファイルの各記憶内容を示す図
【符号の説明】
１…有料道路
２ａ，２ｂ…ＩＣ
３…車両
４…ゲート
５…送受信器
６…車載器
７…クレジットカード
８…料金所装置
９…伝送フレーム
１０，１０ａ……道路会社のホスト装置
１１…利用実績ファイル
１２，１２ａ…クレジットカード会社のホスト装置
１３…顧客ファイル
１４，１４ａ…インターネット
１５，１５ａ…ナビゲーション装置
１５…携帯端末
１９，１９ａ…通行料金テーブル
２７…利用状況テーブル
【図１】
0004170556.tif 000002
【図２】
0004170556.tif 000003
【図３】
0004170556.tif 000004
【図４】
0004170556.tif 000005
【図５】
0004170556.tif 000006
【図６】
0004170556.tif 000007
【図７】
0004170556.tif 000008
【図８】
0004170556.tif 000009
【図９】
0004170556.tif 000010
【図１０】
0004170556.tif 000011
【図１１】
0004170556.tif 000012
【図１２】
0004170556.tif 000013